(57)【要約】【課題】通信にかかる時間を短縮しながら、表示装置に表示される画像を、画質を落とさずに印刷できる印刷システムを提供する。【解決手段】印刷システムは、画像形成装置５０、画像形成装置６０及び表示装置７０を含む。画像形成装置５０は、原稿を読取って得られた読取画像データ、当該読取画像データより生成された表示画像データ、及びその画像特定情報を記憶し、表示画像データ等を表示装置７０へ送信する。表示装置７０は他の画像形成装置６０に対して印刷指示を送信する。他の画像形成装置６０は、表示装置７０から画像特定情報を付した印刷指示を受信すると、その画像特定情報を付した転送指示を画像形成装置５０に送信する。画像形成装置５０は画像特定情報により特定される読取画像データを読出し、画像形成装置６０に送信する。画像形成装置６０は読取画像データを受信し、その読取画像データを印刷する。【選択図】図１
2015050644.tif 000002
【特許請求の範囲】
【請求項１】
互いに接続される読取装置、表示装置、及び印刷装置を含む印刷システムであって、
前記読取装置は、
画像データを読取るための読取手段と、
前記読取手段により読取られた読取画像データより表示用の画像データを生成するための表示画像データ生成手段と、
前記読取手段により読取られた読取画像データを、当該読取画像データより生成された表示画像データと当該読取画像データを特定する画像特定情報とに関連付けて記憶するための記憶手段と、
前記記憶手段に記憶される表示画像データ及び当該表示画像データに関連付けて記憶される画像特定情報を前記表示装置へ送信するための画像データ送信手段と、
前記画像特定情報を付した転送指示を受信したことに応答して、当該画像特定情報により特定される読取画像データを前記記憶手段から読出して前記印刷装置に転送するための転送手段とを含み、
前記表示装置は、
前記読取装置より表示画像データ及び当該表示画像データの画像特定情報を受信するための画像データ受信手段と、
前記表示画像データ、及び前記画像特定情報を互いに関連付けて記憶するための画像データ記憶手段と、
前記表示画像データを表示するための表示手段と、
前記表示手段に表示される表示画像データを印刷する指示入力を受付けるための入力受付手段と、
前記入力受付手段が前記指示入力を受付けたことに応答して、前記表示手段に表示されていた表示画像データと関連付けて前記画像データ記憶手段に記憶されていた画像特定情報を付した印刷指示を前記印刷装置に送信するための印刷指示送信手段とを含み、
前記印刷装置は、
前記表示装置から、画像特定情報を付した前記印刷指示を受信したことに応答して、前記画像特定情報を付した転送指示を前記読取装置に送信することにより、当該画像特定情報により特定される読取画像データを前記読取装置から取得するための画像データ取得手段と、
前記画像データ取得手段が当該画像特定情報により特定される読取画像データを取得したことに応答して、取得した読取画像データを印刷するための印刷手段とを含む、印刷システム。
【請求項２】
互いに接続される読取装置、表示装置、及び印刷装置を含む印刷システムであって、
前記読取装置は、
画像データを読取るための読取手段と、
前記読取手段により読取られた読取画像データより表示用の画像データを生成するための表示画像データ生成手段と、
前記読取手段により読取られた読取画像データを、当該読取画像データより生成された表示画像データと当該読取画像データを特定する画像特定情報とに関連付けて記憶するための記憶手段と、
前記記憶手段に記憶される表示画像データ及び当該表示画像データに関連付けて記憶される画像特定情報を前記表示装置へ送信するための画像データ送信手段と、
前記画像特定情報を付した転送指示を受信したことに応答して、当該画像特定情報により特定される読取画像データを前記記憶手段から読出して前記印刷装置に転送するための転送手段とを含み、
前記表示装置は、
前記読取装置より表示画像データ及び当該表示画像データの画像特定情報を受信するための画像データ受信手段と、
前記表示画像データ及び前記画像特定情報を互いに関連付けて記憶するための画像データ記憶手段と、
前記表示画像データを表示するための表示手段と、
前記表示手段に表示される表示画像データを印刷する指示入力を受付けるための入力受付手段と、
前記入力受付手段が前記指示入力を受付けたことに応答して、前記表示手段に表示されていた表示画像データと関連付けて前記画像データ記憶手段に記憶されていた画像特定情報を付した前記転送指示を前記読取装置に送信するための転送指示送信手段と、
前記入力受付手段が前記指示入力を受付けたことに応答して、前記印刷装置に印刷指示を送信するための印刷指示送信手段とを含み、
前記印刷装置は、
前記読取装置から転送される読取画像データを受信するための読取画像データ受信手段と、
前記表示装置から印刷指示を受信したことに応答して、前記読取画像データ受信手段が受信した読取画像データを印刷するための印刷手段とを含む、印刷システム。
【請求項３】
前記表示装置は、前記入力受付手段が前記指示入力を受付けたことに応答して、前記読取装置が読取画像データを転送可能な状態であるか否かを判定し、判定結果に応じて前記読取装置の状態をユーザに通知するための通知手段をさらに含む、請求項１又は請求項２に記載の印刷システム。
【請求項４】
表示装置及び印刷装置に接続される読取装置であって、
画像データを読取るための読取手段と、
前記読取手段により読取られた読取画像データより表示用の画像データを生成するための表示画像データ生成手段と、
前記読取手段により読取られた読取画像データを、当該読取画像データより生成された表示画像データと当該読取画像データを特定する画像特定情報とに関連付けて記憶するための記憶手段と、
前記記憶手段に記憶される表示画像データ及び当該表示画像データに関連付けて記憶される画像特定情報を前記表示装置へ送信するための画像データ送信手段と、
前記画像特定情報を付した転送指示を受信したことに応答して、当該画像特定情報により特定される読取画像データを前記記憶手段から読出して前記印刷装置に転送するための転送手段とを含む、読取装置。
【請求項５】
表示装置及び請求項４に記載の読取装置に接続される印刷装置であって、
前記表示装置から、画像特定情報を付した印刷指示を受信したことに応答して、前記画像特定情報を付した転送指示を前記読取装置に送信することにより、当該画像特定情報により特定される読取画像データを前記読取装置から取得するための画像データ取得手段と、
前記画像データ取得手段が当該画像特定情報により特定される読取画像データを取得したことに応答して、取得した読取画像データを印刷するための印刷手段とを含む、印刷装置。
【請求項６】
受信した前記印刷指示に画像に対する修正画像データがさらに付されているか否かを判定するための判定手段と、
前記判定手段による判定結果が肯定であることに応答して、前記画像データ取得手段が取得した前記読取画像データについて、前記印刷手段による印刷が実行される前に、前記修正画像データと結合して結合画像データを生成する画像結合手段とをさらに含む、請求項５に記載の印刷装置。
【請求項７】
前記修正画像データは、前記表示装置において、印刷対象となる読取画像データに関連付けて記憶される表示画像データに重畳して生成された画像オブジェクトを含み、
前記画像結合手段は、前記画像データ取得手段が取得した前記読取画像データと、前記画像オブジェクトの画像データとを印刷が実行される前に結合して前記結合画像データを生成する、請求項６に記載の印刷装置。
【請求項８】
原稿データを読取り、記憶できる読取装置、及び印刷装置に接続される表示装置であって、
前記読取装置より表示画像データ及び当該表示画像データの画像特定情報を受信するための画像データ受信手段と、
前記表示画像データ及び前記画像特定情報を互いに関連付けて記憶するための記憶手段と、
前記表示画像データを表示するための表示手段と、
前記表示手段に表示される表示画像データを印刷する指示入力を受付けるための入力受付手段と、
前記入力受付手段が前記指示入力を受付けたことに応答して、前記表示手段に表示されていた表示画像データと関連付けて前記記憶手段に記憶されていた画像特定情報を付した印刷指示を前記印刷装置に送信するための印刷指示送信手段とを含む、表示装置。
【請求項９】
前記表示手段に表示されている画像に対する修正画像の入力を受付けて前記記憶手段に記憶する修正手段をさらに含み、
前記印刷指示送信手段は、
前記入力受付手段が前記指示入力を受付けたことに応答して、前記表示手段に表示されていた表示画像データに対して記憶されている修正画像があるか否かを判定するための判定手段と、
前記判定手段による判定結果が肯定か否かに依存して、前記表示手段に表示されていた表示画像データと関連付けて前記記憶手段に記憶されていた前記画像特定情報及び前記修正画像をともに付した印刷指示を前記印刷装置に送信する処理と、前記表示手段に表示されていた表示画像データと関連付けて前記記憶手段に記憶されていた前記画像特定情報を付した印刷指示を前記印刷装置に送信する処理とを選択的に実行するための手段とを含む、請求項８に記載の表示装置。
【請求項１０】
前記修正画像は、前記修正手段により画像データに追加された画像オブジェクトに関する情報を含む、請求項９に記載の表示装置。
【発明の詳細な説明】
【技術分野】
【０００１】
本発明は、印刷システムに関し、特に、表示装置に表示される画像の印刷を実行する印刷システムに関する。
【背景技術】
【０００２】
複合機で読取った画像データを表示装置に表示した後、複合機で印刷する場合を考える。表示装置が画像の修正機能を持つ場合、当初の画像に対し表示装置で修正が加えられるかも知れない。したがって、表示装置は修正がされたか否かに関わらず画像データを複合機に送信して印刷を依頼する。
【０００３】
一般に、表示装置で表示される画像データの解像度は、複合機で読取ったときの解像度より低い。したがって、表示装置から送信された画像を複合機で印刷すると当初の画像より画質の劣るものになる。これを防ぐために、表示装置で表示される画像の解像度を高くすると、表示装置と複合機との間でこの高解像度の画像データを送受信しなければならない。高解像度の画像データはデータ量が多く、通信に時間がかかるという問題がある。
【０００４】
上記した問題に関連して、後掲の特許文献１には、情報処理装置より取得した画像データを表示装置が即座に複合機に送信し、当該画像に対して修正が行なわれるたびに、修正オブジェクトを複合機に送る印刷システムが開示されている。
【先行技術文献】
【特許文献】
【０００５】
【特許文献１】特開２００９−１０６３９号公報
【発明の概要】
【発明が解決しようとする課題】
【０００６】
特許文献１に開示される印刷システムによれば、画像データ及び修正オブジェクトは、取得されると同時に複合機へ送信される。そのため、修正を終えた後にユーザが印刷を指示すると、画像データ及び修正オブジェクトは複合機に送信済みなので、印刷は即座に実行される。しかし、印刷される画像を高画質に保つためには、表示装置で表示される画像の解像度を高くしなければならない。表示装置は、画像を表示するために高解像度の画像データを受信しなければならないので、その分通信に時間がかかる。さらに、特許文献１の印刷システムでは、印刷を行なう際に高解像度の画像データを表示装置から複合機に送信する必要があるため、印刷される画像を高画質に保ちながら、表示装置で表示される画像を印刷装置で印刷しようとすれば、通信トラフィックが軽減されないという問題が残る。
【０００７】
以上より、本発明は、通信にかかる時間を短縮しながら、表示装置に表示される画像を、画質を落とさずに印刷できる印刷システムを提供することを目的とする。
【課題を解決するための手段】
【０００８】
本発明の第１の局面に係る印刷システムは、互いに接続される読取装置、表示装置、及び印刷装置を含む印刷システムである。この印刷システムにおいて、読取装置は、画像データを読取るための読取手段と、読取手段により読取られた読取画像データより表示用の画像データを生成するための表示画像データ生成手段と、読取手段により読取られた読取画像データを、当該読取画像データより生成された表示画像データと当該読取画像データを特定する画像特定情報とに関連付けて記憶するための記憶手段と、記憶手段に記憶される表示画像データ及び当該表示画像データに関連付けて記憶される画像特定情報を表示装置へ送信するための画像データ送信手段と、画像特定情報を付した転送指示を受信したことに応答して、当該画像特定情報により特定される読取画像データを記憶手段から読出して印刷装置に転送するための転送手段とを含む。表示装置は、読取装置より表示画像データ及び当該表示画像データの画像特定情報を受信するための画像データ受信手段と、表示画像データ、及び画像特定情報を互いに関連付けて記憶するための画像データ記憶手段と、表示画像データを表示するための表示手段と、表示手段に表示される表示画像データを印刷する指示入力を受付けるための入力受付手段と、入力受付手段が指示入力を受付けたことに応答して、表示手段に表示されていた表示画像データと関連付けて画像データ記憶手段に記憶されていた画像特定情報を付した印刷指示を印刷装置に送信するための印刷指示送信手段とを含む。印刷装置は、表示装置から、画像特定情報を付した印刷指示を受信したことに応答して、画像特定情報を付した転送指示を読取装置に送信することにより、当該画像特定情報により特定される読取画像データを読取装置から取得するための画像データ取得手段と、画像データ取得手段が当該画像特定情報により特定される読取画像データを取得したことに応答して、取得した読取画像データを印刷するための印刷手段とを含む。
【０００９】
読取装置は、読取った画像データを画像特定情報と関連付けて記憶し、記憶した画像データ及び当該画像データの画像特定情報を表示装置へ送信する。印刷装置は、表示装置から画像特定情報を付した印刷指示を受信すると、受信した画像特定情報を付した転送指示を読取装置に送信する。読取装置は、転送指示を受信すると、画像特定情報により特定される読取画像データを読出して印刷装置に転送する。印刷装置は、読取装置から転送された読取画像データを受信して印刷する。このように、印刷装置は、表示された画像データでなく、対応する元の画像データを読取装置から取得して印刷する。したがって、印刷装置が表示装置から受信した画像特定情報により特定される画像データを記憶していない場合であっても、当該印刷装置は、表示される画像データの画質ではなく、読取った画像データの画質のままで印刷できる。これにより、表示装置に表示される画像を画質を落とさずに印刷できる。また、印刷を行なう際、印刷装置には画像特定情報を付した印刷指示が送信され、画像データは送信されない。そのため、表示装置から印刷装置へ画像データを送信して印刷する場合に比べて、通信にかかる時間を短縮できる。さらに、読取装置は読取った読取画像データより表示用の画像データを生成し、その表示画像データを表示装置に送信する。表示画像データの解像度が読取画像データの解像度より低い場合、表示装置は、解像度の低い画像データを受信すればよいため、その分、通信にかかる時間を短縮できる。
【００１０】
本発明の第２の局面に係る印刷システムは、互いに接続される読取装置、表示装置、及び印刷装置を含む印刷システムである。この印刷システムにおいて、読取装置は、画像データを読取るための読取手段と、読取手段により読取られた読取画像データより表示用の画像データを生成するための表示画像データ生成手段と、読取手段により読取られた読取画像データを、当該読取画像データより生成された表示画像データと当該読取画像データを特定する画像特定情報とに関連付けて記憶するための記憶手段と、記憶手段に記憶される表示画像データ及び当該表示画像データに関連付けて記憶される画像特定情報を表示装置へ送信するための画像データ送信手段と、画像特定情報を付した転送指示を受信したことに応答して、当該画像特定情報により特定される読取画像データを記憶手段から読出して印刷装置に転送するための転送手段とを含む。表示装置は、読取装置より表示画像データ及び当該表示画像データの画像特定情報を受信するための画像データ受信手段と、表示画像データ及び画像特定情報を互いに関連付けて記憶するための画像データ記憶手段と、表示画像データを表示するための表示手段と、表示手段に表示される表示画像データを印刷する指示入力を受付けるための入力受付手段と、入力受付手段が指示入力を受付けたことに応答して、表示手段に表示されていた表示画像データと関連付けて画像データ記憶手段に記憶されていた画像特定情報を付した転送指示を読取装置に送信するための転送指示送信手段と、入力受付手段が指示入力を受付けたことに応答して、印刷装置に印刷指示を送信するための印刷指示送信手段とを含む。印刷装置は、読取装置から転送される読取画像データを受信するための読取画像データ受信手段と、表示装置から印刷指示を受信したことに応答して、読取画像データ受信手段が受信した読取画像データを印刷するための印刷手段とを含む。
【００１１】
好ましくは、表示装置は、入力受付手段が指示入力を受付けたことに応答して、読取装置が読取画像データを転送可能な状態であるか否かを判定し、判定結果に応じて読取装置の状態をユーザに通知するための通知手段をさらに含む。
【００１２】
本発明の第３の局面に係る読取装置は、表示装置及び印刷装置に接続される読取装置である。この読取装置は、画像データを読取るための読取手段と、読取手段により読取られた読取画像データより表示用の画像データを生成するための表示画像データ生成手段と、読取手段により読取られた読取画像データを、当該読取画像データより生成された表示画像データと当該読取画像データを特定する画像特定情報とに関連付けて記憶するための記憶手段と、記憶手段に記憶される表示画像データ及び当該表示画像データに関連付けて記憶される画像特定情報を表示装置へ送信するための画像データ送信手段と、画像特定情報を付した転送指示を受信したことに応答して、当該画像特定情報により特定される読取画像データを記憶手段から読出して印刷装置に転送するための転送手段とを含む。
【００１３】
本発明の第４の局面に係る印刷装置は、表示装置及び上記第３の局面に係る読取装置に接続される印刷装置である。この印刷装置は、表示装置から、画像特定情報を付した印刷指示を受信したことに応答して、画像特定情報を付した転送指示を読取装置に送信することにより、当該画像特定情報により特定される読取画像データを読取装置から取得するための画像データ取得手段と、画像データ取得手段が当該画像特定情報により特定される読取画像データを取得したことに応答して、取得した読取画像データを印刷するための印刷手段とを含む。
【００１４】
好ましくは、印刷装置は、受信した印刷指示に画像に対する修正画像データがさらに付されているか否かを判定するための判定手段と、判定手段による判定結果が肯定であることに応答して、画像データ取得手段が取得した読取画像データについて、印刷手段による印刷が実行される前に、修正画像データと結合して結合画像データを生成する画像結合手段とをさらに含む。
【００１５】
より好ましくは、修正画像データは、表示装置において、印刷対象となる読取画像データに関連付けて記憶される表示画像データに重畳して生成された画像オブジェクトを含み、画像結合手段は、画像データ取得手段が取得した読取画像データと、画像オブジェクトの画像データとを印刷が実行される前に結合して結合画像データを生成する。
【００１６】
本発明の第５の局面に係る表示装置は、原稿データを読取り、記憶できる読取装置、及び印刷装置に接続される表示装置である。この表示装置は、読取装置より表示画像データ及び当該表示画像データの画像特定情報を受信するための画像データ受信手段と、表示画像データ及び画像特定情報を互いに関連付けて記憶するための記憶手段と、表示画像データを表示するための表示手段と、表示手段に表示される表示画像データを印刷する指示入力を受付けるための入力受付手段と、入力受付手段が指示入力を受付けたことに応答して、表示手段に表示されていた表示画像データと関連付けて記憶手段に記憶されていた画像特定情報を付した印刷指示を印刷装置に送信するための印刷指示送信手段とを含む。
【００１７】
好ましくは、表示装置は、表示手段に表示されている画像に対する修正画像の入力を受付けて記憶手段に記憶する修正手段をさらに含み、印刷指示送信手段は、入力受付手段が指示入力を受付けたことに応答して、表示手段に表示されていた表示画像データに対して記憶されている修正画像があるか否かを判定するための判定手段と、判定手段による判定結果が肯定か否かに依存して、表示手段に表示されていた表示画像データと関連付けて記憶手段に記憶されていた画像特定情報及び修正画像をともに付した印刷指示を印刷装置に送信する処理と、表示手段に表示されていた表示画像データと関連付けて記憶手段に記憶されていた画像特定情報を付した印刷指示を印刷装置に送信する処理とを選択的に実行するための手段とを含む。
【００１８】
より好ましくは、修正画像は、修正手段により画像データに追加された画像オブジェクトに関する情報を含む。
【発明の効果】
【００１９】
以上より、本発明によれば、通信にかかる時間を短縮しながら、表示装置に表示される画像を、画質を落とさずに印刷できる印刷システムを容易に得ることができる。
【図面の簡単な説明】
【００２０】
【図１】本発明の第１の実施の形態に係る印刷システムの概略構成を示す図である。
【図２】図１に示す画像形成装置の電気的構成を示す図である。
【図３】図１に示す他の画像形成装置の電気的構成を示す図である。
【図４】図１に示す表示装置の電気的構成を示す図である。
【図５】第１の実施の形態に係る画像形成装置で原稿を読取るときに実行されるコンピュータプログラムの制御構造を示すフローチャートである。
【図６】第１の実施の形態に係る表示装置で画像データ及び画像特定情報を受信するときに実行されるコンピュータプログラムの制御構造を示すフローチャートである。
【図７】第１の実施の形態に係る表示装置で印刷指示を検知したことに応じて実行されるコンピュータプログラムの制御構造を示すフローチャートである。
【図８】第１の実施の形態に係る他の画像形成装置で印刷指示を受信したことに応じて実行されるコンピュータプログラムの制御構造を示すフローチャートである。
【図９】第１の実施の形態に係る画像形成装置で読取画像データの転送指示を受信したときに実行されるコンピュータプログラムの制御構造を示すフローチャートである。
【図１０】表示装置に表示される画面を示す図である。
【図１１】表示装置に画像データが表示されていることを示す図である。
【図１２】図１１に示す画像に修正が加えられたことを示す図である。
【図１３】第２の実施の形態に係る表示装置で印刷指示を検知したことに応じて実行されるコンピュータプログラムの制御構造を示すフローチャートである。
【図１４】第２の実施の形態に係る他の画像形成装置で読取画像データを受信したことに応じて実行されるコンピュータプログラムの制御構造を示すフローチャートである。
【図１５】第２の実施の形態に係る画像形成装置で読取画像データの転送指示を受信したときに実行されるコンピュータプログラムの制御構造を示すフローチャートである。
【図１６】第３の実施の形態に係る表示装置で印刷指示を検知したことに応じて実行されるコンピュータプログラムの制御構造を示すフローチャートである。
【図１７】第４の実施の形態に係る表示装置で印刷指示を検知したことに応じて実行されるコンピュータプログラムの制御構造を示すフローチャートである。
【図１８】第４の実施の形態に係る他の画像形成装置で印刷指示を受信したことに応じて実行されるコンピュータプログラムの制御構造を示すフローチャートである。
【発明を実施するための形態】
【００２１】
以下の説明及び図面では、同一の部品には同一の参照番号を付してある。したがって、それらについての詳細な説明は繰返さない。
【００２２】
［第１の実施の形態］
＜印刷システムの概略構成＞
図１を参照して、本実施の形態に係る印刷システム４０は、画像形成装置５０、画像形成装置６０、及び表示装置７０を含む。これら画像形成装置５０、画像形成装置６０、及び表示装置７０はネットワーク回線８０を介して互いに通信可能に接続されている。画像形成装置５０及び画像形成装置６０はいずれもいわゆる複合機であるが、プリンタ等でもよい。
【００２３】
画像形成装置５０及び画像形成装置６０の一方は、読取った画像データを表示装置７０に送信する。画像形成装置５０及び画像形成装置６０の他方は、表示装置７０で当該画像データを表示した後に、表示装置７０からの印刷指示に応じて当該画像データを印刷する。すなわち、本実施の形態に係る印刷システム４０では、表示装置７０に表示された画像データを、その表示装置７０に画像データを送信した画像形成装置とは異なる画像形成装置で印刷する。
【００２４】
＜ハードウェア構成＞
（画像形成装置５０）
図２を参照して、画像形成装置５０は、各機能部を制御するための制御部１００、原稿から画像データを読取るための画像読取部１１０、記録媒体上に画像を形成する画像形成部１２０、画像読取部１１０により読取られた画像データを格納する画像メモリ１３０、画像形成装置５０に関する各制御プログラムを格納する制御プログラム記憶部１４０、画像データに対して処理を施す画像処理部１５０、画像形成装置５０へ操作を加えるための操作部１６０、アナログ／デジタル変換を行なうモデム部１７０、画像形成装置５０に接続される外部装置との通信を行なう通信部１８０、画像読取部１１０で読取った画像データを特定するための画像特定情報を生成したり、画像形成装置５０に関する設定及び画像形成装置５０で実行されるジョブ等を管理したりする管理部１９０、並びに、画像メモリ１３０に格納される画像データに関連する情報を格納する記憶部２００を含む。
【００２５】
（画像形成装置６０）
図３を参照して、画像形成装置６０は、制御部１０２、画像読取部１１２、画像形成部１２２、画像メモリ１３２、制御プログラム記憶部１４２、画像処理部１５２、操作部１６２、モデム部１７２、通信部１８２、管理部１９２、及び記憶部２０２を含む。これら各機能部は、画像形成装置５０の各機能部とそれぞれ同様の構成を有している。したがって、これらについての詳細な説明は繰返さない。なお、画像形成装置６０は、画像形成装置５０と異なる構成であってもよい。
【００２６】
（表示装置７０）
図４を参照して、表示装置７０は、各機能部を制御する制御部３００、表示装置７０に接続される外部装置との通信を行なう通信インターフェイス３１０（以下、通信Ｉ／Ｆ３１０と記載する。）、表示装置７０が受信した画像データ及び当該画像データに関連する情報を格納するメモリ３２０、画像データを表示するディスプレイ３５０、ディスプレイ３５０を制御する、制御部３００に接続された表示コントローラ３３０、ユーザからの指示入力を検知するタッチパネル３６０、並びに、制御部３００に接続され、タッチパネル３６０で検知された入力のタッチ位置を検出するタッチ位置検出回路３４０を含む。
【００２７】
メモリ３２０は、表示装置７０の設定に関する情報も格納する。ユーザはタッチパネル３６０及び図示しない入力部を操作して、表示装置７０の設定を任意に変更できる。
【００２８】
本実施の形態では、ディスプレイ３５０及びタッチパネル３６０は、一体型のいわゆるタッチパネルディスプレイとして構成される。タッチ位置検出回路３４０は、ユーザがタッチパネル３６０上のいずれの箇所を操作したかを検知でき、制御部３００は検知された箇所に応じてどのような指示が入力されたかを判定する。さらに制御部３００は、入力された指示の内容に応じた処理を各機能部に実行させる。
【００２９】
＜ソフトウェア構成＞
図１〜図９を参照して、画像形成装置５０で読取った画像データを表示装置７０へ送信し、表示装置７０で当該画像データを表示した後に当該画像データを他の画像形成装置６０で印刷する場合に、画像形成装置５０、画像形成装置６０及び表示装置７０で実行される各プログラムの制御構造について説明する。
【００３０】
図５に示されるプログラムは画像形成装置５０で実行されるプログラムであり、原稿を読取る操作が検知されたことに応じて開始する。このプログラムは、画像読取部１１０で原稿から画像データを読取るステップ４０２、ステップ４０２で読取った読取画像データに基づき表示装置７０で表示するための表示画像データを生成するステップ４０４、読取った画像データを特定する画像特定情報を生成するステップ４０６、ステップ４０２〜ステップ４０６で生成された画像データ及び画像特定情報を、それぞれ画像メモリ１３０及び記憶部２００に互いに関連付けて記憶させるステップ４０８、並びに、画像メモリ１３０に記憶される表示画像データ、当該表示画像データに対応する画像特定情報、当該表示画像データに対応する読取画像データの解像度及びサイズに関する情報を表示装置７０へ送信するステップ４１０を含む。ステップ４１０の処理が終了すると、このプログラムの実行は終了する。
【００３１】
図６に示されるプログラムは表示装置７０で実行されるプログラムであり、画像形成装置５０から何らかのデータを受信したことに応じて開始する。このプログラムは、画像形成装置５０から、表示画像データ、当該表示画像データに対応する画像特定情報、読取画像データの解像度及びサイズに関する情報を受信するステップ４２２と、ステップ４２２で受信した一連のデータをメモリ３２０に記憶させるステップ４２４と、表示画像データをディスプレイ３５０に表示するステップ４２６とを含む。ステップ４２６の処理が終了すると、このプログラムの実行は終了する。
【００３２】
図７に示されるプログラムは表示装置７０で実行されるプログラムであり、ディスプレイ３５０に表示される画像を印刷するよう指示する印刷指示を検知したことに応じて開始する。このプログラムは、印刷指示を検知するステップ４３２、印刷対象の画像に対する修正画像データが入力されているか否かを判定するステップ４３４、ステップ４３４による判定結果が肯定であることに応答して、修正画像データから修正部のオブジェクトを抽出するステップ４３６、ステップ４３６で抽出したオブジェクト及び当該オブジェクトの位置情報を読取画像データの解像度又はサイズに応じて読取画像データに適合するように変換するステップ４３８、印刷指示、オブジェクト、当該オブジェクトの位置情報、当該画像データの画像特定情報、及び当該画像特定情報の送信元である画像形成装置５０の識別情報（例えばＩＰアドレス等）を、印刷処理を実行する画像形成装置６０へ送信するステップ４４０、並びに、ステップ４３４による判定結果が否定であることに応答して、印刷指示、印刷する画像データの画像特定情報、及び当該画像特定情報の送信元である画像形成装置５０の識別情報（例えばＩＰアドレス等）を、印刷処理を実行する画像形成装置６０へ送信するステップ４４２を含む。ステップ４４０又は４４２の処理が終了すると、このプログラムの実行は終了する。
【００３３】
図８に示されるプログラムは画像形成装置６０で実行されるプログラムであり、表示装置７０より印刷指示を受信したことに応じて開始する。このプログラムは、表示装置７０から印刷指示等を受信するステップ４６２、ステップ４６２において受信した印刷指示に付されている画像特定情報の送信元の画像形成装置に読取画像データの転送指示を送信するステップ４６４、送信した転送指示に応答して画像形成装置５０から転送される読取画像データを受信したか否かを判定するステップ４６６、ステップ４６６による判定結果が肯定であることに応答して、受信した印刷指示にオブジェクトが付されているか否かを判定するステップ４６８、ステップ４６８による判定結果が肯定であることに応答して、ステップ４６６において受信した読取画像データとオブジェクトとを結合するステップ４７０、結合後の画像データを印刷するステップ４７４、並びに、ステップ４６６による判定結果が否定であることに応答して所定のエラー処理を実行するステップ４７２を含む。ステップ４６８による判定結果が否定である場合、制御はステップ４７４へ進む。ステップ４７２又は４７４の処理が終了すると、このプログラムの実行は終了する。
【００３４】
図９に示されるプログラムは画像形成装置５０で実行されるプログラムであり、読取画像データの転送指示を受信したことに応じて開始する。このプログラムは、画像特定情報を付した転送指示を受信するステップ４８２、ステップ４８２において受信した転送指示に付されている画像特定情報により特定される読取画像データが画像メモリ１３０に格納されているか否かを判定するステップ４８４、ステップ４８４による判定結果が肯定であることに応答して、ステップ４８４において格納されていることが確認された読取画像データを画像メモリ１３０から読出し、転送指示の送信元の画像形成装置（印刷処理を実行する画像形成装置６０）に送信するステップ４８６、ステップ４８４による判定結果が否定であることに応答して所定のエラー処理を実行するステップ４８８を含む。ステップ４８６又は４８８の処理が終了すると、このプログラムの実行は終了する。
【００３５】
＜動作＞
画像形成装置５０で読取った画像データを表示装置７０へ送信し、表示装置７０で当該画像データを表示した後に当該画像データを他の画像形成装置６０で印刷する場合の印刷システム４０の動作を説明する。
【００３６】
ユーザが画像形成装置５０の操作部１６０を操作し、セットした原稿を読取るよう入力すると、制御部１００は当該原稿を読取り、読取画像データを生成し、画像メモリ１３０に格納する（ステップ４０２）。ステップ４０４において、制御部１００は読取った画像データを基に表示装置７０で表示するための表示画像データを画像処理部１５０に生成させる。表示画像データは、ユーザにより予め設定された表示装置７０の解像度又はサイズに応じた画像データとなるよう生成される。一般に、表示装置の表示解像度は画像形成装置の印刷の解像度よりかなり低い。したがって、表示画像データを画像形成装置で印刷すると、その画質は読取画像データを印刷したときの画質と比較してかなり劣る。一方、データ送信においては、解像度が小さければデータ量はそれに応じて少なくなるため、表示画像データを送信するのにかかる時間は読取画像データを送信するのにかかる時間よりも短い。
【００３７】
ステップ４０６において、制御部１００は読取った画像データを特定する画像特定情報を管理部１９０に生成させる。読取画像データ及び表示画像データが画像メモリ１３０に格納され、画像データを特定する画像特定情報が記憶部２００に格納される（ステップ４０８）。
【００３８】
ステップ４１０において、制御部１００は、表示画像データ、当該画像データを特定する画像特定情報、及び、読取画像データの解像度又はサイズに関する情報を通信部１８０を介して表示装置７０に送信する。このとき送信される画像データは、表示装置において表示されるよう、解像度又はサイズが変換された画像データである。表示画像データのデータ量は読取画像データのデータ量より少ないので、読取画像データを送信する場合に比べて短時間で送信できる。
【００３９】
表示装置７０において、通信Ｉ／Ｆ３１０が画像形成装置５０より表示画像データ、画像特定情報、並びに、読取画像データの解像度及びサイズに関する情報を受信すると（ステップ４２２）、制御部３００はこれら受信した一連のデータをメモリ３２０へ格納する（ステップ４２４）。
【００４０】
図１０に示すディスプレイ３５０は、画像データが表示されていない状態であり、中央部には何も表示されない。ディスプレイの左端には表示に関する各機能を設定するための機能アイコンの集合であるアイコン群３５２と、ディスプレイ３５０に表示される画像の印刷を開始するための印刷開始キー３５４とが表示される。ユーザはアイコン群３５２及び印刷開始キー３５４が表示される箇所を直接指及びタッチペン等でタッチすることで、各機能に応じた処理を表示装置に実行させることができる。
【００４１】
ステップ４２６において、制御部３００は、表示コントローラ３３０を制御して、ディスプレイ３５０に、受信した画像データを表示する。図１１を参照して、ディスプレイの中央部には画像３５６が表示される。画像３５６が表示されている箇所を指でタッチしたりなぞったりすると、ユーザは画像３５６に対して書込み等の入力を行なうことができる。図１２に示す修正画像３５８は、ユーザによって加えられた画像である。修正画像３５８は画像３５６に重畳して表示されるので、紙に印刷された画像にペン等で書込みを行なったのと同じような画像がディスプレイ上に表示される。書加えられた画像は各々、画像オブジェクトとしてメモリに保存される。各画像オブジェクトは、属性データとしてその表示位置、表示色、表示サイズ、及び画像データを持つ。
【００４２】
ユーザが印刷開始キー３５４をタッチすると、制御部３００は印刷指示を検知し（ステップ４３２）、ディスプレイ３５０に表示される画像に何らかの修正が加えられているか否か、すなわち、画像に加えられた修正を表す画像オブジェクトがメモリに保存されているか否かを判定する。修正がある場合（ステップ４３４でＹＥＳ）、制御部３００は画像オブジェクトを読出し（ステップ４３６）、この画像オブジェクトに基づき、その画像データ及び当該画像オブジェクトの位置情報の解像度又はサイズを、画像形成装置５０より受信した読取画像データの解像度又はサイズに適合するよう変換する（ステップ４３８）。制御部３００は印刷指示、変換された画像オブジェクト、変換された位置情報、表示画像データを特定する画像特定情報、及び当該画像特定情報の送信元である画像形成装置５０の識別情報を、通信Ｉ／Ｆ３１０により印刷処理を実行する画像形成装置６０へ送信させる（ステップ４４０）。修正がない場合（ステップ４３４でＮＯ）、制御部３００は印刷指示、画像特定情報、及び当該画像特定情報の送信元である画像形成装置５０の識別情報を、通信Ｉ／Ｆ３１０により印刷処理を実行する画像形成装置６０へ送信させる（ステップ４４２）。
【００４３】
画像形成装置６０は、表示装置７０より印刷指示及び画像特定情報等を受信すると（ステップ４６２）、制御部１０２は、読取画像データの転送指示及び受信した画像特定情報を、通信部１８２により当該画像特定情報の送信元である画像形成装置５０へ送信させる（ステップ４６２）。画像形成装置５０は、画像形成装置６０からの転送指示及び画像特定情報を受信すると（ステップ４８２）、受信した画像特定情報により特定される読取画像データが画像メモリ１３０にあるか否かを判定する。対応する読取画像データがある場合（ステップ４８４でＹＥＳ）、制御部１００は画像メモリ１３０より対応する読取画像データを読出し、画像形成装置６０に転送する（ステップ４８６）。受信した画像特定情報により特定される画像データがない場合（ステップ４８４でＮＯ）、制御部１００は所定のエラー処理を行なう（ステップ４８８）。このエラー処理は、例えば、画像形成装置６０又は表示装置７０にエラーメッセージを送信する処理でもよい。
【００４４】
画像形成装置６０は、転送指示の送信先である画像形成装置５０より転送された読取画像データを受信したか否かを判定する。読取画像データを受信した場合（ステップ４６６でＹＥＳ）、制御部１０２は表示装置７０より受信した印刷指示に画像オブジェクトのデータが付されているか否かを判定する。画像オブジェクトのデータが付されている場合（ステップ４６８でＹＥＳ）、制御部１０２は画像形成装置５０より受信した読取画像データにこの画像オブジェクトの画像データを結合し（ステップ４７０）、結合後の画像データを画像形成部１２２に印刷させる（ステップ４７４）。すなわち、画像オブジェクトの画像データを、読取画像データ上の画像オブジェクトの表示位置に重畳し、重畳後の画像を印刷する。読取画像データを受信していない場合（ステップ４６６でＮＯ）、制御部１０２は所定のエラー処理を行なう（ステップ４７２）。このエラー処理は、例えば、表示装置７０にエラーメッセージを送信する処理でもよい。画像形成装置５０より読取画像データを受信したが、表示装置７０より受信したデータにオブジェクトデータが付されていない場合（ステップ４６６でＹＥＳかつステップ４６８でＮＯ）、制御部１０２は受信した読取画像データを画像形成部１２２に印刷させる。
【００４５】
＜効果＞
以上の通り、本実施の形態に係る印刷システム４０によれば、表示装置７０に表示される画像に対して印刷指示が行なわれると、印刷処理を実行する画像形成装置６０は表示装置７０から印刷指示とともに受信した画像特定情報により特定される読取画像データを、読取画像データを保持する画像形成装置５０から取得して印刷する。印刷される画像は原稿から読取ったときの解像度のままなので、画質を落とさずに画像を印刷できる。さらに、表示装置７０から画像形成装置５０へ送信されるデータは印刷を行なう画像データに関する情報であり、画像データそのものは送信しないため、画像データも送信する場合に比べて、画像形成装置へデータを送信する時間を短縮できる。修正オブジェクトは、その表示位置、大きさ、解像度等が読取画像データに適合するように変換されてから表示されるので、読取画像データに重畳しても画質が著しく劣化することはない。
【００４６】
さらに、画像形成装置５０は読取った読取画像データより表示用の画像データを生成し、その表示画像データを表示装置７０に送信する。表示画像データの解像度が読取画像データの解像度より低い場合、表示装置７０は、解像度の低い画像データを受信すればよいため、その分、通信にかかる時間を短縮できる。
【００４７】
ここで、表示装置側でユーザが印刷指示を出す場合、画像形成装置の印刷性能の違い、画像形成装置の設置場所、及び画像形成装置の状態等により、画像データを読取った画像形成装置とは異なる画像形成装置に対して印刷指示を出すことが考えられる。このような場合、従来のシステムでは、印刷される画像を高画質に保ちながら、表示装置で表示される画像を印刷装置で印刷することが困難であった。
【００４８】
本実施の形態に係る印刷システムでは、画像データを読取った画像形成装置とは異なる画像形成装置が印刷指示を受信した場合、当該画像形成装置は読取った画像データを保持する画像形成装置から読取画像データを取得して印刷する。したがって、画像データを読取った画像形成装置とは異なる画像形成装置に対して印刷指示を出す場合であっても、表示装置に表示される画像を、画質を落とさずに印刷できる。
【００４９】
［第２の実施の形態］
本実施の形態に係る印刷システムは、読取画像データの転送指示を表示装置が行なう点において、第１の実施の形態に係る印刷システムと異なる。その他の点では、各印刷システムは同一の構成である。
【００５０】
＜ソフトウェア構成＞
本実施の形態に係る表示装置では、図７に示されるプログラムに代えて、図１３に示されるプログラムが実行される。図１３のプログラムは、ステップ４３２において印刷指示を検知すると、表示装置に表示された画像データの送信元の画像形成装置に対して読取画像データの転送指示等を送信するステップ４９０をさらに含む。ステップ４９０では、表示装置は、転送指示とともに、転送先の画像形成装置（印刷を実行する画像形成装置）を識別する識別情報（例えばＩＰアドレス等）、及び印刷指示された画像データと関連付けて記憶されていた画像特定情報を送信する。このプログラムはさらに、図７のステップ４４０及び４４２に代えて、それぞれ、印刷指示、オブジェクト、当該オブジェクトの位置情報、当該画像データの画像特定情報を、印刷を実行する画像形成装置へ送信するステップ４９２、及び印刷指示及び画像特定情報を、印刷を実行する画像形成装置に送信するステップ４９４を含む。
【００５１】
印刷処理を実行する画像形成装置では、図８に示されるプログラムに代えて、図１４に示されるプログラムが実行される。図１４のプログラムは、図８のステップ４６２、４６４及び４６６に代えて、それぞれ、転送された読取画像データを受信するステップ５０２、表示装置から印刷指示等を受信するステップ５０４、及び受信した読取画像データが受信した画像特定情報により特定される読取画像データであるか否かを判定するステップ５０６を含む。
【００５２】
画像データを読取り、読取った画像データを表示装置に送信する画像形成装置では、図９に示されるプログラムに代えて、図１５に示されるプログラムが実行される。図１５のプログラムは、図９のステップ４８２及びステップ４８６に代えて、それぞれ、表示装置から送信された転送指示等を受信するステップ５１２、及びステップ４８４において格納されていることが確認された読取画像データを画像メモリから読出し、転送指示に付された識別情報に基づいて、その識別情報が示す画像形成装置に転送するステップ５１４を含む。
【００５３】
＜動作＞
本実施の形態に係る印刷システムは以下のように動作する。なお、読取画像データの転送指示を除いた動作は、上記第１の実施の形態と同様である。したがって、同様の動作についての詳細な説明は繰返さない。
【００５４】
表示装置は印刷指示を検知すると（ステップ４３２）、表示された画像データの送信元の画像形成装置に対して読取画像データの転送指示を送信する（ステップ４９０）。このとき表示装置は、転送指示とともに、転送先の画像形成装置（印刷を実行する画像形成装置）を識別する識別情報、及び印刷指示された画像データと関連付けて記憶されていた画像特定情報を当該画像形成装置に送信する。
【００５５】
表示された画像データの送信元の画像形成装置は、表示装置からの転送指示等を受信すると（ステップ５１２）、受信した画像特定情報により特定される読取画像データが画像メモリにあるか否かを判定する。対応する読取画像データがある場合（ステップ４８４でＹＥＳ）、画像メモリより対応する読取画像データを読出し、印刷を実行する画像形成装置（転送先の画像形成装置）に転送する（ステップ５１４）。
【００５６】
印刷を実行する画像形成装置は、読取画像データを受信（ステップ５０２）した後、表示装置より印刷指示及び画像特定情報等を受信する（ステップ５０４）。この画像形成装置はさらに、受信した読取画像データが、画像特定情報により特定される読取画像データであるか否かを判定する（ステップ５０６）。受信した読取画像データが、画像特定情報により特定される読取画像データである場合、この画像形成装置は表示装置より受信した印刷指示に画像オブジェクトのデータが付されているか否かを判定する（ステップ４６８）。
【００５７】
＜効果＞
本実施の形態においても、第１の実施の形態と同様に、画像特定情報により特定される読取画像データを印刷できる。さらに、画像データを読取った画像形成装置とは異なる画像形成装置に対して印刷指示を出す場合であっても、表示装置に表示される画像を、画質を落とさずに印刷できる。
【００５８】
［第３の実施の形態］
本実施の形態に係る印刷システムは、読取った画像データを表示装置に送信する画像形成装置（読取画像データを保持する画像形成装置）の状態を表示装置が監視し、当該画像形成装置が読取画像データを送信できない状況にある場合にそのことをユーザに通知する点において、第１の実施の形態に係る印刷システムと異なる。その他の点では、各印刷システムは同一の構成である。
【００５９】
＜ソフトウェア構成＞
本実施の形態に係る表示装置では、図７に示されるプログラムに代えて、図１６に示されるプログラムが実行される。図１６のプログラムは、ステップ４３２において印刷指示を検知すると、表示装置に表示された画像データの送信元の画像形成装置が読取画像データを転送可能な状態であるか否かを判定するステップ５２０、及びステップ５２０による判定結果が否定であることに応答して、所定のエラー処理を実行するステップ５２２を含む。ステップ５２０による判定結果が肯定である場合、制御はステップ４３４に進む。ステップ５２２の処理が終了すると、このプログラムの実行は終了する。
【００６０】
ステップ５２０では、表示装置が例えば読取画像データを保持する画像形成装置の電源がオフであること等を検出すると、読取画像データを転送できない状況にあると判定される。ステップ５２２のエラー処理は、例えば、読取画像データが転送可能な状態でないことを示すメッセージを当該表示装置に表示する処理でもよい。
【００６１】
＜効果＞
読取画像データを保持する画像形成装置の電源がオフ等の場合、当該画像形成装置は、印刷を実行する画像形成装置に読取画像データを転送できない。そうした場合、表示装置にメッセージを表示することによって、ユーザに対して、読取画像データを転送できない状況にあることを容易に気付かせることができる。
【００６２】
［第４の実施の形態］
本実施の形態に係る印刷システムは、オブジェクトデータを変換する処理を表示装置でなく画像形成装置で行なう点において、第１の実施の形態に係る印刷システムと異なる。その他の点では、各印刷システムは同一の構成である。
【００６３】
＜ソフトウェア構成＞
本実施の形態において、印刷を実行する画像形成装置では、図７に示されるプログラムに代えて、図１７に示されるプログラムが実行される。図１７のプログラムは、図７のステップ４３８及び４４０に代えて、印刷指示、画像オブジェクト、当該画像オブジェクトの位置情報、ディスプレイ３５０に表示される表示画像データを特定する画像特定情報、並びに、表示画像データの解像度及びサイズに関する情報を、印刷処理を実行する画像形成装置へ送信するステップ５３０を含む。
【００６４】
同様に、本実施の形態に係る表示装置では、図８のプログラムに代えて、図１８のプログラムが実行される。図１８のプログラムは、図８のステップ４６８の判定が肯定であるときに、ステップ４７０の直前に実行される、画像オブジェクト及び当該画像オブジェクトの位置情報を読取画像データの解像度又はサイズに応じて変換するステップ５４０をさらに含む。
【００６５】
＜効果＞
本実施の形態においても、第１の実施の形態と同様に、画像特定情報により特定される読取画像データを印刷できる。さらに、画像データを読取った画像形成装置とは異なる画像形成装置に対して印刷指示を出す場合であっても、表示装置に表示される画像を、画質を落とさずに印刷できる。
【００６６】
［変形例］
上記実施の形態に係る画像形成装置５０及び画像形成装置６０は複合機であるが、画像を読取る機能、記録媒体に画像を形成する機能、及び接続された外部装置との間でデータの送受信を行なう機能を有していれば、複合機に限定されない。例えば、コピー機及びプリンタ等でもよい。同様に、表示装置７０についても、画像データを表示する機能、表示画像データに対して入力する機能、及び接続された外部装置との間でデータの送受信を行なう機能を有していればどのような表示装置でもよい。表示装置７０は通信Ｉ／Ｆを有したタッチパネルディスプレイであるが、ディスプレイと入力装置が別々に構成されていてもよい。
【００６７】
上記実施の形態では、画像データを読取り、読取った画像データを表示装置に送信する読取装置として画像形成装置を用いた例を示したが、本発明はそのような実施の形態には限定されない。画像を読取る機能、及び接続された外部装置との間でデータの送受信を行なう機能を有していれば、画像形成装置に限定されない。例えば、画像形成装置に代えてスキャナ装置を用いてもよい。同様に、表示装置からの印刷指示により印刷処理を行なう画像形成装置は、記録媒体に画像を形成する機能、及び接続された外部装置との間でデータの送受信を行なう機能を有していれば、複合機に限定されない。
【００６８】
上記実施の形態では、画像形成装置５０で読取った画像データを表示装置７０へ送信し、表示装置７０で当該画像データを表示した後に当該画像データを他の画像形成装置６０で印刷する例について示したが、本発明はそのような実施の形態には限定されない。例えば、画像形成装置５０と画像形成装置６０とが逆であってもよい。
【００６９】
上記実施の形態では、２台の画像形成装置を含む印刷システムについて示したが、本発明はそのような実施の形態には限定されない。本印刷システムは、３台以上の画像形成装置を含む構成であってもよい。また、表示装置を複数台含む構成であってもよい。例えば、表示装置が複数台設置される場合において、同一の画像データに対して各表示装置で入力された複数の修正データを、画像形成装置に格納される読取画像データに重畳し、全ての修正データが反映された画像データを印刷するという構成が考えられる。
【００７０】
画像形成装置５０、画像形成装置６０及び表示装置７０は有線回線であるネットワーク回線８０で接続されているが、これら装置はネットワーク回線を介さずに直接接続されていてもよい。又は、無線通信により各装置間でデータのやり取りを行なってもよい。
【００７１】
画像特定情報は、画像データを特定できる情報であればどのような形態でもよい。例えば、原稿を読取ったときに固有ＩＤを読取った画像データのヘッダ部に付す形態が考えられる。
【００７２】
上記実施の形態では、オブジェクトの変換処理を画像形成装置で行なう場合、表示画像データの解像度又はサイズに関する情報が画像形成装置に送信される。この解像度又はサイズに関する情報は、ユーザが予め任意に設定しておき、画像形成装置に記憶させておいてもよい。この場合、解像度又はサイズに関する情報を画像形成装置へ送信する必要がないので、送信処理にかかる時間を短縮できる。
【００７３】
上記実施の形態では、表示装置へ送信される画像データは表示画像データであるが、読取画像データ、或いは、任意の解像度又はサイズに適合するよう変換した画像データであってもよい。表示装置に高画質の画像を表示させたい場合は、読取画像データを送信するとよい。画像データの送信にかかる時間を短縮したい場合は、解像度を下げた画像データを送信すればよい。
【００７４】
上記実施の形態では、修正画像データの送信、変換、及び結合に関する処理は印刷指示を受信した後で実行されているが、これら処理を印刷指示を受信する前に行なってもよい。例えば、表示装置に表示される表示画像データに対して修正が加えられるたびに、画像形成装置では当該修正に基づく修正画像データを読取画像データに結合する処理がリアルタイムで実行され、印刷指示が入力されたと同時に結合済みの画像データを印刷するという構成でもよい。この構成によれば、印刷指示を入力してから印刷が完了するまでにかかる時間をさらに短縮できる。
【００７５】
上記第２の実施の形態では、表示装置が読取画像データの転送指示を送信した後に、別の画像形成装置に印刷指示が送信される。この場合、表示装置は読取画像データの転送が終了したか否かを検出し、読取画像データの転送の終了を検出したことに応答して画像形成装置に印刷指示を送信するようにしてもよい。
【００７６】
上記第２の実施の形態では、表示装置が画像特定情報を付した印刷指示を印刷処理を実行する画像形成装置に送信する構成について示したが、本発明はそのような実施の形態には限定されない。例えば、表示装置が、転送指示を送信した画像形成装置の識別情報を付した印刷指示を、印刷処理を実行する画像形成装置に送信するようにしてもよい。この場合、印刷指示を受信した画像形成装置は、受信した読取画像データが印刷指示に付された識別情報が示す画像形成装置から転送されたものである場合にその読取画像データの印刷処理を実行するように構成されていると好ましい。
【００７７】
上記第３及び第４の実施の形態では、読取画像データの転送指示を、印刷処理を行なう画像形成装置が行なう構成としたが、第２の実施の形態で示したように、読取画像データの転送指示を表示装置が行なう構成としてもよい。
【００７８】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００７９】
４０                            印刷システム
５０、６０                      画像形成装置
７０                            表示装置
１００、１０２、３００          制御部
１１０、１１２                  画像読取部
１２０、１２２                  画像形成部
１３０、１３２                  画像メモリ
１４０、１４２                  制御プログラム記憶部
１５０、１５２                  画像処理部
１６０、１６２                  操作部
１７０、１７２                  モデム部
１８０、１８２                  通信部
１９０、１９２                  管理部
２００、２０２                  記憶部
３１０                          通信Ｉ／Ｆ
３２０                          メモリ
３３０                          表示コントローラ
３４０                          タッチ位置検出回路
３５０                          ディスプレイ
３６０                          タッチパネル
【図１】
2015050644.tif 000003
【図２】
2015050644.tif 000004
【図３】
2015050644.tif 000005
【図４】
2015050644.tif 000006
【図５】
2015050644.tif 000007
【図６】
2015050644.tif 000008
【図７】
2015050644.tif 000009
【図８】
2015050644.tif 000010
【図９】
2015050644.tif 000011
【図１０】
2015050644.tif 000012
【図１１】
2015050644.tif 000013
【図１２】
2015050644.tif 000014
【図１３】
2015050644.tif 000015
【図１４】
2015050644.tif 000016
【図１５】
2015050644.tif 000017
【図１６】
2015050644.tif 000018
【図１７】
2015050644.tif 000019
【図１８】
2015050644.tif 000020